(57)【要約】    【課題】表示画像の内容に拘わらず違和感なく良好な階調表現が為される表示装置を提供することを目的とする。    【解決手段】１フレーム毎に入力映像信号によって示される各輝度レベルの現出頻度を輝度レベルの大小順に累算して行くことにより各輝度レベル毎の累積輝度レベル頻度を求め、この累積輝度レベル頻度における最大累積輝度レベル頻度よりも所定値だけ小なる累積輝度レベル頻度に対応した輝度レベルを実行最大輝度レベルとし、この実行最大輝度レベルに基づき、夫々異なる輝度区分領域の各々に割り当てるべきサブフィールドの数を設定する。    【選択図】  図１
2006343377.tif 000002
【特許請求の範囲】
【請求項１】
入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、
前記入力映像信号によって示される１フレーム毎の各輝度レベルの現出頻度を示す輝度レベル頻度を求める輝度レベル頻度生成手段と、
前記輝度レベル頻度を輝度レベルの大小順に沿って順に加算することにより各輝度レベルに対応する累積輝度レベル頻度を求める累積輝度レベル頻度生成手段と、
前記累積輝度レベル頻度にて示される最大累積輝度レベル頻度よりも所定値だけ小なる累積輝度レベル頻度に対応した輝度レベルを実効最大輝度レベルとし、前記実効最大輝度レベルに基づいて、夫々異なる輝度区分領域の各々に割り当てるべきサブフィールドの数を設定する制御手段と、を有することを特徴とする表示装置。
【請求項２】
前記入力映像信号は、表示すべき画像を示す源映像信号にガンマ補正処理が施された信号であることを特徴とする請求項１記載の表示装置。
【請求項３】
前記制御手段は、前記実効最大輝度レベルに基づき前記サブフィールド各々が担う輝度レベルの区切値を生成する区切値生成手段と、前記区切値によって設定されたサブフィールド各々によって前記画素セルを階調駆動せしめる駆動制御手段と、を含むことを特徴とする請求項１記載の表示装置。
【請求項４】
前記制御手段は、前記実効最大輝度レベルに対応づけして前記区切値を示す情報が予め記憶されているメモリを含み、前記実効最大輝度レベルに対応した前記区切値を前記メモリから読み出すことにより前記サブフィールド各々が担う輝度レベルの区切値を取得することを特徴とする請求項３記載の表示装置。
【請求項５】
入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、
前記入力映像信号によって示される１フレーム毎の各輝度レベルの現出頻度を示す輝度レベル頻度を求める輝度レベル頻度生成手段と、
前記輝度レベル頻度を輝度レベルの大小順に沿って順に加算することにより各輝度レベルに対応する累積輝度レベル頻度を求める累積輝度レベル頻度生成手段と、
前記表示パネルの周囲の光強度を周囲光強度として検出する周囲光センサと、
前記累積輝度レベル頻度にて示される最大累積輝度レベル頻度よりも所定値だけ小なる累積輝度レベル頻度に対応した輝度レベルを実効最大輝度レベルとし、前記実効最大輝度レベル及び前記周囲光強度に基づいて、夫々異なる輝度区分領域の各々に割り当てるべきサブフィールドの数を設定する制御手段と、を有することを特徴とする表示装置。
【請求項６】
前記入力映像信号は、表示すべき画像を示す源映像信号にガンマ補正処理が施された信号であることを特徴とする請求項５記載の表示装置。
【請求項７】
前記制御手段は、前記周囲光強度が所定値より小なる場合には前記所定値以上の場合に比して低輝度領域に割り当てるサブフィールドの数を多くすることを特徴とする請求項４記載の表示装置。
【請求項８】
前記制御手段は、前記周囲光強度が所定値以上の場合には前記所定値よりも小なる場合に比して中輝度領域に割り当てるサブフィールドの数を多くすることを特徴とする請求項４記載の表示装置。
【請求項９】
入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、
前記入力映像信号によって示される１フレーム毎の各輝度レベルの現出頻度を示す輝度レベル頻度を求める輝度レベル頻度生成手段と、
前記輝度レベル頻度を輝度レベルの大小順に沿って順に加算することにより各輝度レベルに対応する累積輝度レベル頻度を求める累積輝度レベル頻度生成手段と、
前記表示パネルの周囲の光強度を周囲光強度として検出する周囲光センサと、
前記周囲光強度及び前記累積輝度レベル頻度に基づいて、夫々異なる輝度区分領域の各々に割り当てるべきサブフィールドの数を設定する制御手段と、を有することを特徴とする表示装置。
【発明の詳細な説明】
【技術分野】
【０００１】
本発明は、サブフィールド法を採用して中間調の輝度を表現する表示装置に関する。
【背景技術】
【０００２】
現在、薄型平面の表示パネルとしてプラズマディスプレイパネル（以下、ＰＤＰと称する）、あるいはエレクトロルミネセントディスプレイパネル（以下、ＥＬＤＰと称する）を搭載した表示装置が知られている。これらＰＤＰ及びＥＬＤＰにおいて各画素を担う発光素子は「発光」及び「非発光」の２状態しかもたない。そこで、入力された映像信号に対応した中間調の輝度を得るべく、サブフィールド法を用いてＰＤＰ及びＥＬＤＰの如き表示パネルを階調駆動するようにしている。
【０００３】
サブフィールド法では、入力された映像信号を各画素毎にＮビットの画素データに変換し、このＮビットのビット桁各々に対応させて、１フィールドの表示期間をＮ個のサブフィールドに分割する。各サブフィールドには、上記画素データのビット桁各々に対応した発光回数が夫々割り当ててあり、上記Ｎビット中の１つのビット桁の論理レベルが例えば「１」である場合には、そのビット桁に対応したサブフィールドにおいて、上述の如く割り当てられた回数分だけ発光を実行する。一方、上記１つのビット桁の論理レベルが「０」である場合には、そのビット桁に対応したサブフィールドでは発光を行わない。かかる駆動方法によれば、１フィールド表示期間内における全てのサブフィールドで実行された発光回数の合計により入力映像信号に対応した中間調の輝度が表現されるのである。    更に、近年、入力映像信号に基づき１画面毎に、各輝度毎の頻度を示す輝度頻度データを生成し、かかる輝度頻度データに基づいて全ての輝度領域を対象として、その頻度に応じてサブフィールドの数を調整するようにした駆動方法が提案された（例えば特許文献１参照）。かかる駆動方法により、頻度が大なる輝度を含む輝度区分領域ほどその輝度区分領域に割り当てるべきサブフィールドの数を多くすれば、人間の視覚特性に応じた良好な階調表現が為されるようになる。
【０００４】
しかしながら、かかる駆動方法によると、例えばテレビジョン放送に基づく画像を表示している際に地震速報等の高輝度な文字が表示されると、各輝度区分領域に割り当てるべきサブフィールドの数が急に変化してしまい、違和感のある表示が為されてしまうという問題があった。
【特許文献１】特開２００４−２４０１０３号公報
【発明の開示】
【発明が解決しようとする課題】
【０００５】
本発明は、上記の問題を解決するためになされたものであり、表示画像の内容に拘わらず違和感なく良好な階調表現が為される表示装置を提供することを目的とする。
【課題を解決するための手段】
【０００６】
請求項１記載による表示装置は、入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、前記入力映像信号によって示される１フレーム毎の各輝度レベルの現出頻度を示す輝度レベル頻度を求める輝度レベル頻度生成手段と、前記輝度レベル頻度を輝度レベルの大小順に沿って順に加算することにより各輝度レベルに対応する累積輝度レベル頻度を求める累積輝度レベル頻度生成手段と、前記累積輝度レベル頻度にて示される最大累積輝度レベル頻度よりも所定値だけ小なる累積輝度レベル頻度に対応した輝度レベルを実効最大輝度レベルとし、前記実効最大輝度レベルに基づいて、夫々異なる輝度区分領域の各々に割り当てるべきサブフィールドの数を設定する制御手段と、を有する。
【０００７】
又、請求項５記載による表示装置は、入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、前記入力映像信号によって示される１フレーム毎の各輝度レベルの現出頻度を示す輝度レベル頻度を求める輝度レベル頻度生成手段と、前記輝度レベル頻度を輝度レベルの大小順に沿って順に加算することにより各輝度レベルに対応する累積輝度レベル頻度を求める累積輝度レベル頻度生成手段と、前記表示パネルの周囲の光強度を周囲光強度として検出する周囲光センサと、前記累積輝度レベル頻度にて示される最大累積輝度レベル頻度よりも所定値だけ小なる累積輝度レベル頻度に対応した輝度レベルを実効最大輝度レベルとし、前記実効最大輝度レベル及び前記周囲光強度に基づいて、夫々異なる輝度区分領域の各々に割り当てるべきサブフィールドの数を設定する制御手段と、を有する。
【０００８】
又、請求項９記載による表示装置は、入力映像信号の１フィールドの表示期間を夫々に発光期間が割り当てられている複数のサブイールドで構成し、表示パネルの各画素を担う画素セル各々を、前記サブフィールド毎に発光せしめることにより階調表示を行う表示装置であって、前記入力映像信号によって示される１フレーム毎の各輝度レベルの現出頻度を示す輝度レベル頻度を求める輝度レベル頻度生成手段と、前記輝度レベル頻度を輝度レベルの大小順に沿って順に加算することにより各輝度レベルに対応する累積輝度レベル頻度を求める累積輝度レベル頻度生成手段と、前記表示パネルの周囲の光強度を周囲光強度として検出する周囲光センサと、前記周囲光強度及び前記累積輝度レベル頻度に基づいて、夫々異なる輝度区分領域の各々に割り当てるべきサブフィールドの数を設定する制御手段と、を有する。
【発明を実施するための最良の形態】
【０００９】
本発明の第１の特徴による表示装置は、１フレーム毎に入力映像信号によって示される各輝度レベルの現出頻度を輝度レベルの大小順に累算して行くことにより各輝度レベル毎の累積輝度レベル頻度を求める。そして、この累積輝度レベル頻度における最大累積輝度レベル頻度よりも所定値だけ小なる累積輝度レベル頻度に対応した輝度レベルを実行最大輝度レベルとし、この実行最大輝度レベルに基づき、夫々異なる輝度区分領域の各々に割り当てるべきサブフィールドの数を設定するようにしている。かかる構成によれば、各輝度区分領域に割り当てるべきサブフィールドの数を設定するにあたり、最高輝度レベル近傍の頻度は無効となる。よって、映像信号中に、突然、字幕又はテロップに対応した高輝度な文字画像信号が重畳されても、その前後においてサブフィールドの設定状態の遷移量が非常に少ないので、違和感の無い表示画像を提供することが可能となる。
【００１０】
又、本発明の第２の特徴による表示装置は、上記実効最大輝度レベルに基づいて互いに隣接するサブフィールド各々が担う輝度レベルの区切値を生成し、この区切値によって設定されたサブフィールド各々によって画素セルを階調駆動せしめる。かかる構成によれば、サブフィールド各々が担う輝度範囲の区切り値を設定するにあたり、最高輝度レベル近傍の頻度は無効となる。よって、映像信号中に、突然、字幕又はテロップに対応した高輝度な文字画像信号が重畳されても、その前後においてサブフィールドの設定状態の遷移量が非常に少ないので、違和感の無い表示画像を提供することが可能となる。
【００１１】
又、本発明の第３の特徴による表示装置は、周囲光の強度が所定値より小なる場合には大なる場合に比して低輝度領域に割り当てるサブフィールドの数を多くする。かかる構成により、暗い場所では低輝度な画像に敏感となる人間の視覚に追従させて低輝度区分領域に割り当てるべきサブフィールドの数が増加するので、低輝度な画像に対する階調表現を向上させることが可能となる。
【実施例１】
【００１２】
図１は、表示パネルとしてプラズマディスプレイパネルを搭載したプラズマディスプレイ装置の構成を示す図である。
【００１３】
図１において、プラズマディスプレイパネルとしてのＰＤＰ１００は、表示面を担う透明な前面基板(図示せぬ)と、前面基板と対向した位置に配置されている背面基板(図示せぬ)とを備える。前面基板及び背面基板間には放電ガスが封入された放電空間が存在する。前面基板上には、夫々表示面の水平方向（横方向）に伸長している行電極Ｘ１〜Ｘｎ及び行電極Ｙ１〜Ｙｎが形成されている。背面基板上には、上記行電極各々に交叉して配置されている列電極Ｄ１〜Ｄｍが形成されている。尚、行電極Ｘ１〜Ｘｎ及びＹ１〜Ｙｎは、一対の行電極Ｘ及びＹにてＰＤＰ１００の第１表示ライン〜第ｎ表示ラインを担う構造となっており、各行電極対と列電極との交叉部(放電空間を含む)に画素を担う放電セル（画素セル）Ｇが形成されている。すなわち、ＰＤＰ１００には、（ｎ×ｍ）個の放電セルＧ(1,1)〜Ｇ(n,m)がマトリクス状に形成されているのである。
【００１４】
画素データ変換回路１は、入力映像信号を各画素毎の輝度レベルを表す例えば８ビットの画素データＰＤに変換し、これを輝度レベル変換回路２及び輝度累積頻度演算回路３の各々に供給する。尚、かかる入力映像信号とは、表示すべき映像に対応した源映像信号にガンマ補正が施された信号である。
【００１５】
輝度レベル変換回路２は、８ビットで「０」〜「２５５」なる輝度レベルを表す画素データＰＤに対して、後述する平均ＳＦ区切値ＣＳ１〜ＣＳ１２に基づく図２に示す如き変換特性にて輝度レベルの変換を行う。すなわち、輝度レベル変換回路２では、先ず、入力映像信号によって表される「０」〜「２５５」なる輝度範囲を、図２に示す如く、サブフィールドＳＦ１〜ＳＦ１２各々に対応した１２個の輝度領域ＹＲ１〜ＹＲ１２に分割する。そして、互いに隣接する輝度領域ＹＲ同士の境界での輝度レベルを夫々抽出し、抽出した輝度レベルに対応した変換後の値（ＰＤ１）が夫々平均ＳＦ区切値ＣＳ１〜ＣＳ１１となるような変換特性を採用して、画素データＰＤに対する輝度レベル変換を実行するのである。
【００１６】
多階調化処理回路４は、８ビットの上記画素データＰＤ１に対して誤差拡散処理及びディザ処理を施す。例えば、上記誤差拡散処理では、先ず、画素データＰＤ１の上位６ビット分を表示データ、残りの下位２ビット分を誤差データと捉える。そして、周辺画素各々に対応した上記画素データＰＤ１の各誤差データを重み付け加算したものを、上記表示データに反映させる。かかる動作により、原画素における下位２ビット分の輝度が上記周辺画素によって擬似的に表現され、それ故に８ビットよりも少ない６ビット分の表示データにて、上記８ビット分の画素データと同等の輝度階調表現が可能になる。そして、この誤差拡散処理によって得られた６ビットの誤差拡散処理画素データに対してディザ処理を施す。ディザ処理では、互いに隣接する複数の画素を１画素単位とし、この１画素単位内の各画素に対応した上記誤差拡散処理画素データに夫々、互いに異なる係数値からなるディザ係数を夫々割り当てて加算してディザ加算画素データを得る。かかるディザ係数の加算によれば、上記１画素単位で眺めた場合には、上記ディザ加算画素データの上位４ビット分だけでも８ビットに相当する輝度を表現することが可能となる。そこで、多階調化処理回路４は、上記ディザ加算画素データの上位４ビット分を多階調化画素データＭＤとして駆動データ変換回路５に供給する。
【００１７】
駆動データ変換回路５は、多階調化画素データＭＤを、図３に示す如きデータ変換テーブルに従って１２ビットの画素駆動データＧＤに変換してこれをメモリ６に供給する。
【００１８】
メモリ６は、１２ビットの画素駆動データＧＤを順次取り込んで記憶する。そして、１画像フレーム(ｎ行×ｍ列)分の画素駆動データＧＤ1,1〜ＧＤn,mの書き込みが終了する度に、メモリ６は、画素駆動データＧＤ1,1〜ＧＤn,m各々を各ビット桁(第１〜第１２ビット)毎に分離し、夫々、後述するサブフィールドＳＦ１〜ＳＦ１２に対応させて１表示ライン分ずつ読み出す。メモリ６は、読み出した１表示ライン分（ｍ個）の画素駆動データビットを画素駆動データビットＤＢ１〜ＤＢ(ｍ)として列電極駆動回路７に供給する。例えば、先ず、サブフィールドＳＦ１において、メモリ６は、画素駆動データＧＤ1,1〜ＧＤn,m各々の第１ビットのみを１表示ライン分ずつ読み出し、これらを画素駆動データビットＤＢ１〜ＤＢ(ｍ)として列電極駆動回路７に供給する。次に、サブフィールドＳＦ２において、メモリ６は、画素駆動データＧＤ1,1〜ＧＤn,m各々の第２ビットのみを１表示ライン分ずつ読み出し、これらを画素駆動データビットＤＢ１〜ＤＢ(ｍ)として列電極駆動回路７に供給するのである。
【００１９】
輝度累積頻度演算回路３は、輝度レベル頻度データ生成回路３１及び累積演算回路３２からなる。
【００２０】
輝度レベル頻度データ生成回路３１は、上記画素データＰＤにて表現可能な輝度レベルの範囲である「０」〜「２５５」各々に対応付けされた２５６個の記憶領域を備えている。かかる２５６個の記憶領域の各々には、その輝度レベルを表す画素データＰＤが供給された延べ回数、つまり頻度が記憶される。例えば、輝度レベル頻度データ生成回路３１は、上記画素データ変換回路１から画素データＰＤが供給される度に、その画素データＰＤによって表される輝度レベルに対応した記憶領域に記憶されている頻度を「１」だけインクリメントするのである。そして、輝度レベル頻度データ生成回路３１は、入力映像信号の１フレーム分（又は１フィールド分）毎に、１フレーム分（又は１フィールド分）の画素データＰＤによって生成された各輝度レベル「０」〜「２５５」毎の頻度を表す輝度レベル頻度ＤＦ０〜ＤＦ２５５を累積演算回路３２に供給する。
【００２１】
累積演算回路３２は、上記輝度レベル頻度ＤＦ０〜ＤＦ２５５各々を低輝度に対応したものから（又は高輝度に対応したものから）順次加算して行き、各加算結果を、輝度レベル「０」〜「２５５」各々に対応した累積輝度レベル頻度ＡＣ０〜ＡＣ２５５として求める。すなわち、累積演算回路３２は、
ＡＣ０＝ＤＦ０
ＡＣ１＝ＤＦ０＋ＤＦ１
ＡＣ２＝ＤＦ０＋ＤＦ１＋ＤＦ２
・
・
・
ＡＣ２５５＝ＤＦ０＋ＤＦ１＋ＤＦ２＋ＤＦ３＋・・・＋ＤＦ２５５
なる演算により、各輝度レベル「０」〜「２５５」各々に対応した輝度の累積頻度を示す累積輝度レベル頻度ＡＣ０〜ＡＣ２５５を算出するのである。累積演算回路３２は、これら累積輝度レベル頻度ＡＣ０〜ＡＣ２５５をＳＦ（サブフィールド）区切値生成回路８に供給する。
【００２２】
図４は、累積輝度レベル頻度ＡＣ０〜ＡＣ２５５を各輝度レベルに対応付けした系列として示す累積輝度レベル頻度系列ＳＱを示す図である。
【００２３】
ＳＦ区切値生成回路８は、累積輝度レベル頻度ＡＣ０〜ＡＣ２５５に基づいて、サブフィールドＳＦ１〜ＳＦ１２（後述する）各々が担う輝度範囲の夫々の区切り値を示すＳＦ区切値Ｓ１〜Ｓ１１を生成して（後述する）平均化回路９に供給する。
【００２４】
平均化回路９は、ＳＦ区切値Ｓ１〜Ｓ１１各々に対して、夫々個別に平均化処理を施して得られた平均ＳＦ区切値ＣＳ１〜ＣＳ１１の各々を駆動制御回路１０に供給する。例えば、平均化回路９は、巡回型低域通過フィルタからなる。この際、平均化回路９は、１フレーム前の映像信号に基づいて生成された上記ＳＦ区切値Ｓ１と現フィールドの映像信号に基づいて生成されたＳＦ区切値Ｓ１とを用いて巡回型低域通過フィルタリング処理を施し、その出力値を平均ＳＦ区切値ＣＳ１として駆動制御回路１０に供給する。又、平均化回路９は、１フレーム前の映像信号に基づいて生成された上記ＳＦ区切値Ｓ２と現フィールドの映像信号に基づいて生成されたＳＦ区切値Ｓ２とを用いて巡回型低域通過フィルタリング処理を施し、その出力値を平均ＳＦ区切値ＣＳ２として駆動制御回路１０に供給する。又、平均化回路９は、１フレーム前の映像信号に基づいて生成された上記ＳＦ区切値Ｓ３と現フィールドの映像信号に基づいて生成されたＳＦ区切値Ｓ３とを用いて巡回型低域通過フィルタリング処理を施し、その出力値を平均ＳＦ区切値ＣＳ３として駆動制御回路１０に供給する。同様にして、平均化回路９は、ＳＦ区切値Ｓ４〜Ｓ１１各々に対して夫々個別に上述した如き巡回型低域通過フィルタリング処理を施して得られた平均ＳＦ区切値ＣＳ４〜ＣＳ１１を駆動制御回路１０に供給する。
【００２５】
駆動制御回路１０は、サブフィールド法に基づく図５に示されるが如き発光駆動シーケンスに従って上記ＰＤＰ１００を階調駆動させるべき各種タイミング信号を、列電極駆動回路７、行電極Ｙ駆動回路１１及び行電極Ｘ駆動回路１２の各々に供給する。
【００２６】
図５に示す発光駆動シーケンスにおいては、１フレームの表示期間がサブフィールドＳＦ１〜ＳＦ１２にて構成される。各サブフィールドでは、アドレス行程Ｗ及びサスティン行程Ｉが順次実行される。尚、先頭のサブフィールドＳＦ１に限り上記アドレス行程Ｗに先立ちリセット行程Ｒが実行される。
【００２７】
先ず、先頭のサブフィールドＳＦ１のリセット行程Ｒでは、行電極Ｙ駆動回路１１及び行電極Ｘ駆動回路１２が全ての行電極Ｘ及びＹにリセットパルスを印加する。かかるリセットパルスに応じて全ての放電セルＧ内においてリセット放電が生起され、各放電セルＧ内には所定量の壁電荷が形成される。これにより、全ての放電セルＧは、後述するサスティン行程Ｉにてサスティン放電発光が可能な状態である点灯モードに設定される。
【００２８】
次に、各サブフィールドのアドレス行程Ｗでは、行電極Ｙ駆動回路１１が走査パルスをＰＤＰ１００の行電極Ｙ１〜Ｙｎ各々に順次印加して行く。この間、列電極駆動回路７は、メモリ６から読み出された画素駆動データビットＤＢ１〜ＤＢ(ｍ)に対応した１表示ライン分のｍ個の画素データパルスを上記走査パルスのタイミングに同期して列電極Ｄ１〜Ｄｍ各々に印加する。ここで、上記走査パルスと共に高電圧の画素データパルスが印加された放電セルにのみ消去アドレス放電が生起される。かかる消去アドレス放電により放電セル内に形成されていた壁電荷が消滅し、この放電セルは、後述するサスティン行程Ｉにてサスティン放電発光が為されない状態である消灯モードに設定される。一方、上記走査パルスが印加されたものの低電圧の画素データパルスが印加された放電セルには上述のような消去アドレス放電は生起されず、その直前までの状態（点灯モード又は消灯モード）が維持される。
【００２９】
次に、各サブフィールドのサスティン行程Ｉでは、駆動制御回路１０にて設定された発光期間Ｋに亘り、行電極Ｙ駆動回路１１及び行電極Ｘ駆動回路１２各々が繰り返しサスティンパルスを発生しこれを全ての行電極Ｘ及びＹに交互に印加する。この際、点灯モードに設定されている放電セルＧのみが、上記サスティンパルスが印加される度にサスティン放電発光する。
【００３０】
この際、図５に示す駆動によれば、サブフィールドＳＦ１〜ＳＦ１２の内で、放電セルを消灯モードから点灯モードに推移させることが可能な機会は、サブフィールドＳＦ１のリセット行程Ｒだけである。つまり、サブフィールドＳＦ１〜ＳＦ１２の内の１のサブフィールドで消去アドレス放電が生起され、一旦、放電セルＧが消灯モードに設定されると、それ以降のサブフィールドでは放電セルＧが点灯モードに復帰することはない。従って、図３に示す如き１３通りの画素駆動データＧＤに基づく駆動によれば、表現すべき輝度に対応した分だけ先頭のサブフィールドＳＦ１から連続したサブフィールド各々において放電セルＧが点灯モードに設定される。この際、消去アドレス放電(黒丸にて示す)が生起されるまでの間、各サブフィールドのサスティン行程Ｉにおいて連続してサスティン放電発光(白丸に示す)が為される。
【００３１】
上述した如き駆動により、１フレーム期間内において生起されたサスティン放電発光の総発光期間に対応した輝度が視覚される。すなわち、図３に示す如き１３種類の発光パターンによれば、白丸にて示されるサブフィールド各々のサスティン行程Ｉに割り当てられている発光期間Ｋの合計期間に対応した１３階調分の中間輝度が表現されるのである。
【００３２】
ここで、サブフィールドＳＦ１〜ＳＦ１２各々のサスティン行程Ｉに割り当てられる図５に示す如き発光期間Ｋ１〜Ｋ１２の各々は、ＳＦ区切値Ｓ１〜Ｓ１１を夫々個別に平均化した平均ＳＦ区切値ＣＳ１〜ＣＳ１１によって設定される。
【００３３】
以下に、ＳＦ区切値Ｓ１〜Ｓ１１各々を生成するＳＦ区切値生成回路８の動作について説明する。
【００３４】
ＳＦ区切値生成回路８は、輝度累積頻度演算回路３から供給された累積輝度レベル頻度ＡＣ２５５にて示される最大累積頻度のＱ％（例えば９０％）を図４に示す如き実効最大累積輝度レベル頻度ＡＣＸとする。次に、ＳＦ区切値生成回路８は、図４に示す如き、累積輝度レベル頻度ＡＣ０〜ＡＣ２５５からなる累積輝度レベル頻度系列ＳＱ中から上記実効最大累積輝度レベル頻度ＡＣＸに対応した輝度レベルを検出し、これを実行最大輝度レベルＸとする。次に、ＳＦ区切値生成回路８は、実行最大輝度レベルＸに応じて、サブフィールドＳＦ１〜ＳＦ１２各々が担う輝度範囲の区切り値を示すＳＦ区切値Ｓ１〜Ｓ１１を生成する。
【００３５】
すなわち、図３に示す如き１３通りの発光駆動パターンによれば、輝度レベル「０」を表現する場合を除き、必ず、先頭のサブフィールドＳＦ１から連続したサブフィールド各々においてサスティン放電発光が為され、その連続したサブフィールドの数に応じた輝度レベルが表現される。つまり、図６に示されるように、最低輝度レベル「０」を表現する第１階調駆動では、サブフィールドＳＦ１〜ＳＦ１２のいずれにおいてもサスティン放電発光が為されず、この第１階調駆動よりも１段階だけ高輝度を表現する第２階調駆動では、サブフィールドＳＦ１のみでサスティン放電発光が為される。又、かかる第２階調駆動よりも更に１段階だけ高輝度を表現する第３階調駆動ではＳＦ１及びＳＦ２において連続してサスティン放電発光が為され、この第２階調駆動よりも更に１段回だけ高輝度を表現する第４階調駆動ではＳＦ１〜ＳＦ３において連続してサスティン放電発光が為されるのである。従って、ＳＦ１が最も低輝度レベルを担うサブフィールドとなり、ＳＦ１２が最も高輝度レベルを担うサブフィールドとなる。
【００３６】
ここで、ＳＦ区切値生成回路８は、図６に示されるように、互いに隣接するサブフィールド各々が担うべき輝度範囲の区切り値を、夫々ＳＦ区切値Ｓ１〜Ｓ１１として求めるのである。この際、ＳＦ区切値生成回路８は、図７に示す如く、上記実行最大輝度レベルＸが大なるほど高輝度側のサブフィールドの各々（例えばＳＦ９〜ＳＦ１２）が担う輝度範囲を狭くし、その分だけ低輝度側のサブフィールドの各々（例えばＳＦ１〜ＳＦ４）が担う輝度範囲を広くしたＳＦ区切値Ｓ１〜Ｓ１１を生成する。従って、駆動制御回路１０は、これらＳＦ区切値Ｓ１〜Ｓ１１を夫々個別に平均化して得られた平均ＳＦ区切値ＣＳ１〜ＣＳ１１に基づいて、サブフィールドＳＦ１〜ＳＦ１２各々に割り当てるべき発光期間Ｋ１〜Ｋ１２を求めるのである。
【００３７】
従って、かかる動作によれば、１フレーム分の映像信号中に比較的高輝度成分の割合が多い場合には高輝度成分に割り当てられるサブフィールドの数が増加し、低輝度成分の割合が多い場合には低輝度成分に割り当てられるサブフィールドの数が増加する。
【００３８】
例えば、実行最大輝度レベルＸが比較的小、つまり１フレーム画像中において高輝度成分の割合が少ない場合には、図８（ａ）に示すように、低輝度区分領域ａに対しては８つのサブフィールドＳＦ１〜ＳＦ８が割り当てられ、高輝度区分領域ｂに対しては４つのサブフィールドＳＦ９〜ＳＦ１２が割り当てられる。一方、実行最大輝度レベルＸが比較的大、つまり１フレーム画像中において高輝度成分の割合が多い場合には、図８（ｂ）に示すように、低輝度区分領域ａに対しては７つのサブフィールドＳＦ１〜ＳＦ７が割り当てられ、高輝度区分領域ｂに対しては５つのサブフィールドＳＦ８〜ＳＦ１２が割り当てられる。
【００３９】
従って、かかる動作によれば、表示画像の輝度配分に応じた良好な階調表現が為されるようになる。
【００４０】
次に、主となる映像中に字幕又はテロップ等の文字情報が含まれている入力映像信号が供給された場合の動作について説明する。
【００４１】
図９（ａ）は、このような文字情報が含まれていない入力映像信号に基づいて輝度レベル頻度データ生成回路３１が生成した各輝度レベル毎の輝度レベル頻度ＤＦを示す図であり、図９（ｂ）はかかる輝度レベル頻度ＤＦに基づいて累積演算回路３２が生成した累積輝度レベル頻度の系列を示す図である。
【００４２】
又、図１０（ａ）は、字幕又はテロップ等の文字情報が含まれている入力映像信号に基づいて輝度レベル頻度データ生成回路３１が生成した各輝度レベル毎の輝度レベル頻度ＤＦを示す図であり、図１０（ｂ）はかかる輝度レベル頻度ＤＦに基づいて累積演算回路３２が生成した累積輝度レベル頻度の系列を示す図である。
【００４３】
図１０（ａ）に示すように、入力映像信号中に字幕又はテロップ等の文字情報が含まれていると、高輝度部（輝度レベル「２５５」付近）に、この字幕又はテロップに対応した頻度ＴＰが存在する。よって、かかる輝度頻度を累積した累積輝度レベル頻度系列中には、図１０（ｂ）に示すように、頻度ＴＰに伴う累積頻度上昇区間ＰＢが存在する。
【００４４】
ここで、ＳＦ区切値生成回路８は、先ず、図９（ａ）又は図９（ｂ）に示される累積輝度レベル頻度系列中の最大累積頻度のＱ％（例えば９０％）の値を実効最大累積輝度レベル頻度ＡＣＸとする。次に、ＳＦ区切値生成回路８は、累積輝度レベル頻度系列における上記実効最大累積輝度レベル頻度ＡＣＸに対応した輝度レベルを実行最大輝度レベルＸとする。そして、ＳＦ区切値生成回路８は、この実行最大輝度レベルＸに応じて、図７に示されるように、サブフィールドＳＦ１〜ＳＦ１２各々が担う輝度範囲の区切値を示すＳＦ区切値Ｓ１〜Ｓ１１を生成する。この際、実行最大輝度レベルＸは、最大累積頻度のＱ％（例えば９０％）の値からなる最大累積輝度レベル頻度ＡＣＸに対応した輝度レベルである。ここで、最大累積輝度レベル頻度ＡＣＸは、図１０（ｂ）に示されるように、字幕又はテロップ等の最高輝度成分に対応した頻度ＴＰが反映されたものではない。従って、最大累積輝度レベル頻度ＡＣＸに対応した実行最大輝度レベルＸは、図１０（ａ）に示す如き字幕又はテロップ等に対応した頻度ＴＰが存在する場合と、図９（ａ）に示す如きこれが存在しない場合とで略同一となり、それ故に、実行最大輝度レベルＸに応じて設定されるＳＦ区切値Ｓ１〜Ｓ１１にも変化が生じない。
【００４５】
よって、テレビジョン映像信号中に、突然、地震速報等のテロップに対応した高輝度な文字画像信号が重畳されても、その前後においてサブフィールドの設定状態に遷移が生じることはないので、違和感の無い表示画像を提供することが可能となる。
【実施例２】
【００４６】
図１１は、本発明による表示装置としてのプラズマディスプレイ装置の他の構成を示す図である。
【００４７】
尚、図１１に示されるプラズマディスプレイ装置においては、図１に示されるＳＦ区切値８及び平均化回路９の間に、ＳＦ数割当変更回路８０を設けたものであり、このＳＦ数割当変更回路８０を除く他の構成及び動作は図１に示されるものと同一である。そこで、以下に、ＳＦ数割当変更回路８０の動作を中心に、図８に示すプラズマディスプレイ装置の動作を説明する。
【００４８】
ＳＦ数割当変更回路８０は、周囲光センサ８１及びＳＦ区切値調整回路８２から構成される。周囲光センサ８１は、このプラズマディスプレイ装置が設置された場所の光強度を検出し、この光強度を示す周囲光強度信号ＧＳをＳＦ区切値調整回路８２に供給する。ＳＦ区切値調整回路８２は、ＳＦ区切値生成回路８から供給されたＳＦ区切値Ｓ１〜Ｓ１１各々を、上記周囲光強度信号ＧＳによって示される光強度に応じて調整したものをＳＦ区切値ＳＳ１〜ＳＳ１１として平均化回路９に供給する。すなわち、ＳＦ区切値調整回路８２は、周囲光強度信号ＧＳにて示される光強度が所定値より小なる場合には、低輝度区分領域に割り当てるサブフィールドの数を所定個数だけ増加させ、その増加分だけ高輝度区分領域に割り当てるサブフィールドの数を減らすべくＳＦ区切値Ｓ１〜Ｓ１１各々の値を調整する。一方、周囲光強度信号ＧＳに示される光強度が所定値以上となる場合には、ＳＦ区切値調整回路８２は、高輝度区分領域に割り当てるサブフィールドの数を所定個数だけ増加させ、その増加分だけ低輝度区分領域に割り当てるサブフィールドの数を減らすべくＳＦ区切値Ｓ１〜Ｓ１１各々の値を調整する。
【００４９】
よって、ＳＦ数割当変更回路８０によれば、暗い場所では低輝度な画像に敏感となる人間の視覚に追従させて低輝度区分領域に割り当てるべきサブフィールドの数を増加させることにより、低輝度な画像に対する階調表現を向上させることが可能となる。
【００５０】
尚、上記実施例においては、ＳＦ区切値生成回路８が実行最大輝度レベルＸに応じてＳＦ区切値Ｓ１〜Ｓ１１を生成するようにしているが、このＳＦ区切値生成回路８内に、各種の実行最大輝度レベルＸに対応したＳＦ区切値Ｓ１〜Ｓ１１が予め記憶されているメモリを搭載するようにしても良い。すなわち、ＳＦ区切値生成回路８は、前述した如く、累積輝度レベル頻度ＡＣ０〜ＡＣ２５５から実効最大累積輝度レベル頻度ＡＣＸに対応した実効最大輝度レベルＸを求め、この実効最大輝度レベルＸに対応したＳＦ区切値Ｓ１〜Ｓ１１を上記メモリから読み出すのである。
【００５１】
以上の如く、本発明による表示装置においては、映像信号の各輝度レベル毎の頻度を輝度レベルの大小順に累積することにより各輝度レベルに対応した累積輝度レベル頻度（ＡＣ）を求める。そして、この累積輝度レベル頻度における最大累積輝度レベル頻度よりも所定値だけ小なる実行累積輝度レベル頻度（ＡＣＸ）に対応した輝度レベル（Ｘ）に応じて、夫々異なる輝度区分領域の各々に割り当てるべきサブフィールドの数を設定するようにしている。かかる構成によれば、表示画像の内容に拘わらず違和感なく良好な階調表示が為されるようになる。
【図面の簡単な説明】
【００５２】
【図１】本発明による表示装置としてのプラズマディスプレイ装置の概略構成を示す図である。
【図２】図１に示される輝度レベル変換回路２における変換特性の一例を示す図である。
【図３】図１に示される駆動データ変換回路５におけるデータ変換テーブル、及び発光駆動パターンを示す図である。
【図４】累積輝度レベル頻度ＡＣ０〜ＡＣ２５５の一例を示す図である。
【図５】図１に示されるＰＤＰ１００を駆動する際の発光駆動シーケンスの一例を示す図である。
【図６】サブフィールドＳＦ１〜ＳＦ１２におけるＳＦ区切値Ｓ１〜Ｓ１１を示す図である。
【図７】実行最大輝度レベルＸとＳＦ区切値Ｓ１〜Ｓ１１各々との対応関係を示す図である。
【図８】低輝度区分領域ａ及び高輝度区分領域ｂへのサブフィールドＳＦ１〜ＳＦ１２各々の割り当ての一例を示す図である。
【図９】字幕又はテロップ等の文字情報を含まない映像を示す映像信号に基づいて生成される輝度レベル頻度ＤＦ及び累積輝度レベル頻度ＡＣの一例を示す図である。
【図１０】字幕又はテロップ等の文字情報を含んだ映像を示す映像信号に基づいて生成される輝度レベル頻度ＤＦ及び累積輝度レベル頻度ＡＣの一例を示す図である。
【図１１】本発明による表示装置としてのプラズマディスプレイ装置の他の構成を示す図である。
【主要部分の符号の説明】
【００５３】
８      ＳＦ区切値生成回路
１０    駆動制御回路
３１    輝度レベル頻度データ生成回路
３２    累積演算回路
８１    周囲光センサ
８２    ＳＦ区切値調整回路
１００  ＰＤＰ
【図１】
2006343377.tif 000003
【図２】
2006343377.tif 000004
【図３】
2006343377.tif 000005
【図４】
2006343377.tif 000006
【図５】
2006343377.tif 000007
【図６】
2006343377.tif 000008
【図７】
2006343377.tif 000009
【図８】
2006343377.tif 000010
【図９】
2006343377.tif 000011
【図１０】
2006343377.tif 000012
【図１１】
2006343377.tif 000013